(57)【要約】      （修正有）【課題】使い勝手を向上させる鎌を提供する。【解決手段】鎌１は、直線状の柄２と、柄２の先端に固定され、刃面２３及び柄２のなす角度が１８０度及び鈍角で可変であると共に、刃元２４と刃先とを結ぶ仮想線及び柄２のなす角度が可変である刃３と、を備える。具体的に、鎌１は、刃３を柄２の先端に固定する金具として、柄２の先端に固定され、柄２の先端から柄２の長手方向に固定板３８が突出する柄側金具５と、固定板３８に固定されると共に刃３が固定される刃側金具６と、を備える。刃側金具６は、固定板３８に固定される基端側板４３及び刃３が固定される先端側板４４が９０度捻れるように柄２の長手方向に連続する。基端側板４３は、固定板３８に固定される姿勢が可変である。刃３は、先端側板４４に固定される姿勢が可変である。【選択図】図６
0003200597.tif 000002
【実用新案登録請求の範囲】
【請求項１】
直線状の柄と、
前記柄の先端に固定され、刃面及び前記柄のなす角度が１８０度及び鈍角で可変であると共に、刃元と刃先とを結ぶ仮想線及び前記柄のなす角度が可変である刃と、を備えることを特徴とする、
鎌。
【請求項２】
前記刃を前記柄の先端に固定する固定具として、
前記柄の先端に固定され、前記柄の先端から前記柄の長手方向に固定板が突出する柄側固定具と、
前記固定板に固定されると共に前記刃が固定される刃側固定具と、を備え、
前記刃側固定具は、前記固定板に固定される基端側板及び前記刃が固定される先端側板が９０度捻れるように前記柄の長手方向に連続し、
前記基端側板は、前記固定板に固定される姿勢が可変であり、
前記刃は、前記先端側板に固定される姿勢が可変である、
請求項１に記載の鎌。
【考案の詳細な説明】
【技術分野】
【０００１】
本考案は、草刈り等に用いる鎌に関する。
【背景技術】
【０００２】
特許文献１には、刃の刃面を柄に対して略直角方向に配置し、刃と柄の角度を変更可能に構成した鎌が記載されている。
【先行技術文献】
【特許文献】
【０００３】
【特許文献１】特開平１１−２２０９１６号公報
【考案の概要】
【考案が解決しようとする課題】
【０００４】
しかしながら、上記構成の鎌は、一般的な鎌のように刃面と柄のなす角度を１８０度にすることができず、使用態様が限定されている。このため、使い勝手が悪い。
【０００５】
本考案は、上記課題を鑑みてなされたものであり、使い勝手を向上させた鎌を提供することを目的とする。
【課題を解決するための手段】
【０００６】
（１）本考案は、直線状の柄と、前記柄の先端に固定され、刃面及び前記柄のなす角度が１８０度及び鈍角で可変であると共に、刃元と刃先とを結ぶ仮想線及び前記柄のなす角度が可変である刃と、を備えることを特徴とする、鎌である。
【０００７】
本考案によれば、一般的な鎌のように刃面と柄のなす角度を１８０度にする他、刃と柄のなす角度を変更してから使用することができる。これにより、地面の傾斜角度に合わせ草刈り等ができる。
【０００８】
柄を長いもの（例えば、１５００ｍｍの長さの柄）で構成した場合には、竹ぼうきで庭を掃くように人が立ったまま楽に草刈りができ、疲れない。そして、嫌いな虫がでてきても避けられる。また、刈りたい草に近付けないような狭い所でも草刈りができる。さらに、草がぼうぼうに生えていても迷わず草刈りに取り掛かれる。
【０００９】
刃を鋸刃（ノコギリ刃）で構成した場合には、鋸刃のギザギザの付け根に草が引っ掛かるので、細かい草が多量に生えていても、草刈りはわずかな時間ですむ。そして、石ころや硬い物が鋸刃のギザギザの付け根に届かなければ草刈りに差し支えない。鋸刃は鋭利な刃ではないが、鎌の柄を強く引っ張ることで草は切れる。
【００１０】
大きい草は生ゴミになってしまうが、このような鎌で草が伸びないうちに刈ることで、草を生ゴミにせずに土にすることができる。結果、害虫の発生を無くすことができる。
【００１１】
（２）本考案はまた、前記刃を前記柄の先端に固定する固定具として、前記柄の先端に固定され、前記柄の先端から前記柄の長手方向に固定板が突出する柄側固定具と、前記固定板に固定されると共に前記刃が固定される刃側固定具と、を備え、前記刃側固定具は、前記固定板に固定される基端側板及び前記刃が固定される先端側板が９０度捻れるように前記柄の長手方向に連続し、前記基端側板は、前記固定板に固定される姿勢が可変であり、前記刃は、前記先端側板に固定される姿勢が可変である、上記（１）に記載の鎌である。
【００１２】
上記考案によれば、簡単な構造で構成することができる。刃の角度を２ヶ所で変えるものであるので、角度の調整を容易且つ確実に行うことができる。
【考案の効果】
【００１３】
本考案の上記（１）及び（２）に記載の鎌によれば、使い勝手を向上させることができる。
【図面の簡単な説明】
【００１４】
【図１】本考案の実施形態に係る鎌の正面図である。
【図２】刃の正面図である。
【図３】（Ａ）は柄側金具の側面図であり、（Ｂ）は柄側金具の正面図である。
【図４】（Ａ）は刃側金具の側面図であり、（Ｂ）は刃側金具の正面図である。
【図５】刃及び刃側金具の側面図である。
【図６】鎌の要部を示す側面図であり、（Ａ）は刃面及び柄のなす角度を１８０度にした場合を示し、（Ｂ）は刃面及び柄のなす角度を鈍角にした場合を示す。
【図７】鎌の使用状態を示す概略図であり、（Ａ）は刃面及び柄のなす角度を１８０度にした場合を示し、（Ｂ）〜（Ｄ）は刃面及び柄のなす角度を鈍角にした場合を示す。
【図８】（Ａ）は左利き用の刃側金具の側面図であり、（Ｂ）は左利き用の刃側金具の正面図である。
【考案を実施するための形態】
【００１５】
以下、図面を参照して、本考案の実施形態に係る鎌１について詳細に説明する。
【００１６】
まず、図１〜図６を用いて、鎌１について説明する。図１は、鎌１の正面図である。図２は、刃３の正面図である。図３（Ａ）は、柄側金具５の側面図である。図３（Ｂ）は、柄側金具４，５の正面図である。図４（Ａ）は、刃側金具６の側面図である。図４（Ｂ）は、刃側金具６の正面図である。図５は、刃３及び刃側金具６の側面図である。図６は、鎌１の要部を示す側面図である。図６（Ａ）は、刃面２３及び柄２のなす角度を１８０度にした場合を示す。図６（Ｂ）は、刃面２３及び柄２のなす角度を鈍角にした場合を示す。なお、各図において、一部の構成を適宜省略して、図面を簡略化する。
【００１７】
図１に示す鎌１は、直線状の持ち手となる柄２と、柄２の先端に固定される刃３と、刃３を柄２の先端に固定する金具（固定具）４，５，６と、柄２の先端に１対の柄側金具（柄側固定具）４，５を固定するためのボルト７，８及びナット９ａ，９ｂ，１０ａ，１０ｂと、１対の柄側金具４，５に刃側金具（刃側固定具）６を固定するためのボルト１１，１２、ナット１３ａ，１４ａ及び蝶ナット１３ｂ，１４ｂと、刃側金具６に刃３を固定するためのボルト１５，１６、ナット１７ａ，１８ａ及び蝶ナット１７ｂ，１８ｂ等を備える。
【００１８】
柄２は、例えば、長さＬが１５００ｍｍで径φが２８ｍｍの木製である。柄２の外周面には、柄２の先端から一部の範囲を切り欠くことによって、１対の柄側金具４，５を固定するための互いに平行となる１対の切欠部１９，２０が形成されている。また、柄２の先端付近には、ボルト７，８を通すボルト孔２１，２２が、切欠部１９から切欠部２０に向けて貫通するように形成されている。
【００１９】
図１、図２及び図５に示す刃３は、鋸刃であり、金具４，５，６によって柄２の先端に固定される。この刃３は、刃面２３及び柄２のなす角度が１８０度（図６（Ａ）参照）及び鈍角（図６（Ｂ）参照）で可変であると共に、刃元２４と刃先２５とを結ぶ仮想線２６及び柄２のなす角度が可変である。刃３の刃元２４付近には、ボルト１５，１６を通すボルト孔２７，２８が、刃面２３を貫通するように形成されている。この刃３は、刃側金具６の先端側板４４に固定される姿勢が可変である。
【００２０】
図１及び図３に示す柄側金具４は、長尺の金属板を曲折することで一体に形成され、柄２の切欠部１９に配置される取付板２９と、取付板２９に対して略４５度曲折する曲折板３０と、曲折板３０に対して略４５度曲折して取付板２９と平行となる固定板３１とを備える。取付板２９には、ボルト７，８を通すボルト孔３２，３３が貫通するように形成されている。固定板３１には、ボルト１１，１２を通すボルト孔３４，３５が貫通するように形成されている。この柄側金具４は、取付板２９が柄２の切欠部１９に配置され、ボルト７，８及びナット９ａ，９ｂ，１０ａ，１０ｂによって柄２の先端に固定されることで、柄２の先端から柄２の長手方向に固定板３１が突出する。
【００２１】
柄側金具５は、柄側金具４と同様、長尺の金属板を曲折することで一体に形成され、柄２の切欠部２０に配置される取付板３６と、取付板３６に対して略４５度曲折する曲折板３７と、曲折板３７に対して略４５度曲折して取付板３６と平行となる固定板３８とを備える。取付板３６には、ボルト７，８を通すボルト孔３９，４０が貫通するように形成されている。固定板３８には、ボルト１１，１２を通すボルト孔４１，４２が貫通するように形成されている。この柄側金具５は、取付板３６が柄２の切欠部２０に配置され、ボルト７，８及びナット９ａ，９ｂ，１０ａ，１０ｂによって柄２の先端に固定されることで、柄２の先端から柄２の長手方向に固定板３８が突出する。
【００２２】
図１及び図４に示す刃側金具６は、Ｌ字形状の金属板を９０度捻ることで一体に形成され、１対の柄側金具４，５の固定板３１，３８同士の間に配置される基端側板４３と、この基端側板４３に対して９０度捻れるように柄２の長手方向に連続する先端側板４４とを備える。基端側板４３には、ボルト１１を通すボルト孔４５と、ボルト１２を通す複数のボルト孔４６，４７，４８，４９とが貫通するように形成されている。複数のボルト孔４６，４７，４８，４９のうち選択された１つのボルト孔には、ボルト１２が通される。先端側板４４には、ボルト１５を通すボルト孔５０と、ボルト１６を通す複数のボルト孔５１，５２とが貫通するように形成されている。複数のボルト孔５１，５２のうち選択された１つのボルト孔には、ボルト１６が通される。この刃側金具６は、基端側板４３で柄側金具４，５の固定板３１，３８に固定されると共に、先端側板４４に刃３が固定されるものである。基端側板４３は、固定板３１，３８に固定される姿勢が可変である。
【００２３】
次に、図１〜図６を用いて、鎌１の組立手順について説明する。
【００２４】
まず、柄２の切欠部１９に、柄側金具４の取付板２９を配置すると共に、柄２の切欠部２０に、柄側金具５の取付板３６を配置する。これにより、柄側金具４のボルト孔３２、柄２のボルト孔２１、及び柄側金具５のボルト孔３９が連続すると共に、柄側金具４のボルト孔３３、柄２のボルト孔２２、及び柄側金具５のボルト孔４０が連続する。
【００２５】
そして、ボルト７を、柄側金具４のボルト孔３２、柄２のボルト孔２１、柄側金具５のボルト孔３９の順に挿通してから、ナット９ａ，９ｂに螺合すると共に、ボルト８を、柄側金具４のボルト孔３３、柄２のボルト孔２２、柄側金具５のボルト孔４０の順に挿通してから、ナット１０ａ，１０ｂに螺合する。これにより、１対の柄側金具４，５は、柄２の先端に固定され、柄２の先端から柄２の長手方向に固定板３１，３８が突出する。１対の柄側金具４，５の固定板３１，３８は、隙間を空けて互いに対面する。
【００２６】
次に、１対の柄側金具４，５の固定板３１，３８同士の間の隙間に、刃側金具６の基端側板４３を配置する。
【００２７】
刃３の刃面２３及び柄２のなす角度を１８０度にする場合、柄側金具４のボルト孔３４、刃側金具６のボルト孔４５、及び柄側金具５のボルト孔４１を連続させると共に、柄側金具４のボルト孔３５、刃側金具６のボルト孔４６、及び柄側金具５のボルト孔４２を連続させる。
【００２８】
そして、ボルト１１を、柄側金具５のボルト孔４１、刃側金具６のボルト孔４５、柄側金具４のボルト孔３４の順に挿通してから、ナット１３ａ及び蝶ナット１３ｂに螺合すると共に、ボルト１２を、柄側金具５のボルト孔４２、刃側金具６のボルト孔４６、柄側金具４のボルト孔３５の順に挿通してから、ナット１４ａ及び蝶ナット１４ｂに螺合する。これにより、刃側金具６は、１対の柄側金具４，５に固定される（図６（Ａ）参照）。
【００２９】
刃３の刃面２３及び柄２のなす角度を鈍角にする場合、柄側金具４のボルト孔３４、刃側金具６のボルト孔４５、及び柄側金具５のボルト孔４１を連続させると共に、柄側金具４のボルト孔３５、刃側金具６のボルト孔４７、及び柄側金具５のボルト孔４２を連続させる。
【００３０】
そして、ボルト１１を、柄側金具５のボルト孔４１、刃側金具６のボルト孔４５、柄側金具４のボルト孔３４の順に挿通してから、ナット１３ａ及び蝶ナット１３ｂに螺合すると共に、ボルト１２を、柄側金具５のボルト孔４２、刃側金具６のボルト孔４７、柄側金具４のボルト孔３５の順に挿通してから、ナット１４ａ及び蝶ナット１４ｂに螺合する。これにより、刃側金具６は、１対の柄側金具４，５に固定される。
【００３１】
または、柄側金具４のボルト孔３４、刃側金具６のボルト孔４５、及び柄側金具５のボルト孔４１を連続させると共に、柄側金具４のボルト孔３５、刃側金具６のボルト孔４８、及び柄側金具５のボルト孔４２を連続させる。
【００３２】
そして、ボルト１１を、柄側金具５のボルト孔４１、刃側金具６のボルト孔４５、柄側金具４のボルト孔３４の順に挿通してから、ナット１３ａ及び蝶ナット１３ｂに螺合すると共に、ボルト１２を、柄側金具５のボルト孔４２、刃側金具６のボルト孔４８、柄側金具４のボルト孔３５の順に挿通してから、ナット１４ａ及び蝶ナット１４ｂに螺合する。これにより、刃側金具６は、１対の柄側金具４，５に固定される。
【００３３】
あるいは、柄側金具４のボルト孔３４、刃側金具６のボルト孔４５、及び柄側金具５のボルト孔４１を連続させると共に、柄側金具４のボルト孔３５、刃側金具６のボルト孔４９、及び柄側金具５のボルト孔４２を連続させる。
【００３４】
そして、ボルト１１を、柄側金具５のボルト孔４１、刃側金具６のボルト孔４５、柄側金具４のボルト孔３４の順に挿通してから、ナット１３ａ及び蝶ナット１３ｂに螺合すると共に、ボルト１２を、柄側金具５のボルト孔４２、刃側金具６のボルト孔４９、柄側金具４のボルト孔３５の順に挿通してから、ナット１４ａ及び蝶ナット１４ｂに螺合する。これにより、刃側金具６は、１対の柄側金具４，５に固定される（図６（Ｂ）参照）。
【００３５】
なお、柄側金具４，５のボルト孔３５，４２に連続させる刃側金具６のボルト孔４７，４８，４９は、刃３の刃面２３及び柄２のなす角度の鈍角の度合に応じて適宜選択される。
【００３６】
次に、刃側金具６の先端側板４４に、刃３における刃元２４側の刃面２３を重ねるように配置する。
【００３７】
刃元２４と刃先２５とを結ぶ仮想線２６及び柄２のなす角度を緩く場合、刃３のボルト孔２７、及び刃側金具６のボルト孔５０を連続させると共に、刃３のボルト孔２８、及び刃側金具６のボルト孔５１を連続させる。
【００３８】
そして、ボルト１５を、刃３のボルト孔２７、刃側金具６のボルト孔５０の順に挿通してから、ナット１７ａ及び蝶ナット１７ｂに螺合すると共に、ボルト１６を、刃３のボルト孔２８、刃側金具６のボルト孔５１の順に挿通してから、ナット１８ａ及び蝶ナット１８ｂに螺合する。これにより、刃３は、刃側金具６に固定される。すなわち、刃３は、金具４，５，６によって柄２の先端に固定される（図１参照）。
【００３９】
刃元２４と刃先２５とを結ぶ仮想線２６及び柄２のなす角度をつける場合、刃３のボルト孔２７、及び刃側金具６のボルト孔５０を連続させると共に、刃３のボルト孔２８、及び刃側金具６のボルト孔５２を連続させる。
【００４０】
そして、ボルト１５を、刃３のボルト孔２７、刃側金具６のボルト孔５０の順に挿通してから、ナット１７ａ及び蝶ナット１７ｂに螺合すると共に、ボルト１６を、刃３のボルト孔２８、刃側金具６のボルト孔５２の順に挿通してから、ナット１８ａ及び蝶ナット１８ｂに螺合する。これにより、刃３は、刃側金具６に固定される。すなわち、刃３は、金具４，５，６によって柄２の先端に固定される。
【００４１】
なお、刃３のボルト孔２８に連続させる刃側金具６のボルト孔５１，５２は、刃元２４と刃先２５とを結ぶ仮想線２６及び柄２のなす角度の度合に応じて適宜選択される。
【００４２】
次に、図７を用いて、鎌１の使用方法を説明する。図７は、鎌１の使用状態を示す概略図である。図７（Ａ）は、刃面２３及び柄２のなす角度を１８０度にした場合を示す。図７（Ｂ）〜図７（Ｄ）は、刃面２３及び柄２のなす角度を鈍角にした場合を示す。なお、図７における符号のＧＲＤは、地面を示す。
【００４３】
図７（Ａ）に示す鎌１の使用状態は、一般的な鎌のように刃面２３と柄２のなす角度を１８０度にしたものである。図７（Ｂ）に示す鎌１の使用状態は、刃面２３と柄２のなす角度をつけたものである。これによれば、土中で草を切ることができる。図７（Ｃ）に示す鎌１の使用状態は、刃面２３と柄２のなす角度を更につけたものである。これによれば、草を根ごと抜くことができる。図７（Ｄ）に示す鎌１の使用状態は、刃面２３と柄２のなす角度を更につけたものである。これによれば、細かい草をまとめて刈ることができる。
【００４４】
以上説明したように、このような鎌１によれば、一般的な鎌のように刃面２３と柄２のなす角度を１８０度にする他、刃３と柄２のなす角度を変更してから使用することができる。これにより、地面ＧＲＤの傾斜角度に合わせて草刈り等ができる。
【００４５】
柄２を長いもので構成した場合には、竹ぼうきで庭を掃くように人が立ったまま楽に草刈りができ、疲れない。そして、嫌いな虫がでてきても避けられる。また、刈りたい草に近付けないような狭い所でも草刈りができる。さらに、草がぼうぼうに生えていても迷わず草刈りに取り掛かれる。
【００４６】
刃３が鋸刃で構成されているので、鋸刃のギザギザの付け根に草が引っ掛かり、細かい草が多量に生えていても、草刈りはわずかな時間ですむ。そして、石ころや硬い物が鋸刃のギザギザの付け根に届かなければ草刈りに差し支えない。鋸刃は営利な刃ではないが、鎌１の柄２を強く引っ張ることで草は切れる。
【００４７】
大きい草は生ゴミになってしまうが、このような鎌１で草が伸びないうちに刈ることで、草を生ゴミにせずに土にすることができる。結果、害虫の発生を無くすことができる。
【００４８】
そして、金具４，５，６を備えているので、簡単な構造で構成することができる。刃３の角度を２ヶ所で変えるものであるので、角度の調整を容易且つ確実に行うことができる。
【００４９】
なお、本考案は、上記実施形態に限定されるものではなく、その趣旨及び技術思想を逸脱しない範囲で種々の変更が可能である。すなわち、各構成の位置、大きさ、長さ、形状、材質などは適宜変更できる。例えば、刃３は、鋸刃に代えて、鋭利なものであってもよい。
【００５０】
あるいは、上記実施形態では、右利き用の鎌の場合を例に説明したが、本発明は、左利き用の鎌であってもよい。この場合、刃側金具６に代えて、図８に示す刃側金具６′が用いられる。ただし、刃側金具６′は、逆Ｌ字形状の金属板を９０度捻ることで一体に形成されるものであり、その基本的な構成は刃側金具６と同様である。この刃側金具６′の説明は、刃側金具６の各構成の符号に「′」を付して図示することで省略する。なお、図８（Ａ）は、左利き用の刃側金具６′の側面図である。図８（Ｂ）は、左利き用の刃側金具６′の正面図である。
【符号の説明】
【００５１】
１  鎌
２  柄
３  刃
４，５  柄側金具（柄側固定具）
６  刃側金具（刃側固定具）
７，８  ボルト
９ａ，９ｂ，１０ａ，１０ｂ  ナット
１１，１２  ボルト
１３ａ，１４ａ  ナット
１３ｂ，１４ｂ  蝶ナット
１５，１６  ボルト
１７ａ，１８ａ  ナット
１７ｂ，１８ｂ  蝶ナット
１９，２０  切欠部
２１，２２  ボルト孔
２３  刃面
２４  刃元
２５  刃先
２６  仮想線
２７，２８  ボルト孔
２９，３６  取付板
３０，３７  曲折板
３１，３８  固定板
３２，３３，３４，３５，３９，４０，４１，４２  ボルト孔
４３  基端側板
４４  先端側板
４５，４６，４７，４８，４９，５０，５１，５２  ボルト孔
ＧＲＤ  地面
【図１】
0003200597.tif 000003
【図２】
0003200597.tif 000004
【図３】
0003200597.tif 000005
【図４】
0003200597.tif 000006
【図５】
0003200597.tif 000007
【図６】
0003200597.tif 000008
【図７】
0003200597.tif 000009
【図８】
0003200597.tif 000010